(57)【要約】  ワイヤメッシュアイソレータが上に位置するアイソレータガイドと、マウントインサートとを含み、マウントインサートは、マウントインサートを熱シールドに取り付ける際に役立つ複数のタブのセットを有し、アイソレータガイドは、マウントインサートのアパーチャを通じて挿入される、熱シールドのためのインシュレーティングアイソレータアセンブリ。第１保持機構が上にある第１端と、ワイヤメッシュアイソレータをアイソレータガイド上に保持する第２保持機構が上にある第２端とを有する管を有するアイソレータガイド。アイソレータガイドがマウントインサートのアパーチャを通って延在する場合、第１保持機構およびアイソレータは、マウントインサートの一方の側に留まり、これに対して、管およびアイソレータガイドの第２保持機構は、マウントインサートの他方の側を通って延在する。
2018523775.tif 000002
【特許請求の範囲】
【請求項１】
アイソレータガイドであって、外径を含む管と、第１保持機構が上にある第１端と、第２保持機構を上に含む第２端と、前記第１端から前記第２端まで貫通する、一定の内径を含むアパーチャとを有し、前記第１保持機構および前記第２保持機構は、前記管の外径よりも大きい外径を含む、アイソレータガイドと、
ワイヤメッシュアイソレータであって、上面と、前記第１保持機構と直接接触している下面と、それらを貫通するアパーチャと、前記第１保持機構の前記外径と実質的に同等の外径とを有し、前記アパーチャは、前記アイソレータガイドの前記管を中に受け入る、ワイヤメッシュアイソレータと、
マウントインサートであって、共通の外径縁で接触する上面および下面がある環状部と、前記共通の外径縁に取り付けられた、円周方向に離間された複数のタブのセットと、前記複数のタブの各々を互いに分離する複数のギャップのセットと、前記上面および前記下面を貫通する中央アパーチャとを有し、前記中央アパーチャは、前記アイソレータガイドの前記管を中に受け入れる、マウントインサートと
を備える、熱シールドのためのインシュレーティングアイソレータアセンブリ。
【請求項２】
前記複数のタブの各々は、半径方向内側に延在する脚と、前記半径方向内側に延在する脚に接続された、軸方向外側に延在する脚とを含み、
前記軸方向外側に延在する脚は、前記マウントインサートを前記熱シールドに取り付けるために曲げられている、
請求項１に記載のインシュレーティングアイソレータアセンブリ。
【請求項３】
前記ワイヤメッシュアイソレータの前記上面は、前記マウントインサートの前記環状部と接触している、
請求項１または２に記載のインシュレーティングアイソレータアセンブリ。
【請求項４】
内側円状縁と、外側円状縁と、前記アイソレータガイドの前記管を中に受け入れるための中央アパーチャと、前記内側円状縁から延在する、円周方向に離間されて半径方向外側に延在する開口とを有する皿ばねをさらに備え、
前記内側円状縁は、前記第１保持機構および前記第２保持機構の前記外径よりも直径が小さく、
前記外側円状縁は、前記マウントインサートの前記環状部と接触し、前記内側円状縁は、前記第２保持機構の下方で前記アイソレータガイドの前記管と接触する、
請求項１から３のいずれか一項に記載のインシュレーティングアイソレータアセンブリ。
【請求項５】
前記皿ばねは、前記外側円状縁から延在する、円周方向に離間されて半径方向内側に延在する開口をさらに備える、
請求項４に記載のインシュレーティングアイソレータアセンブリ。
【請求項６】
前記第２保持機構はリッジである、
請求項１から５のいずれか一項に記載のインシュレーティングアイソレータアセンブリ。
【請求項７】
前記第１保持機構はワッシャである、
請求項１から６のいずれか一項に記載のインシュレーティングアイソレータアセンブリ。
【請求項８】
前記アイソレータガイドは、一体構造のものである、
請求項１から７のいずれか一項に記載のインシュレーティングアイソレータアセンブリ。
【請求項９】
第２ワイヤメッシュアイソレータをさらに備え、
前記第２ワイヤメッシュアイソレータは、上面と、前記マウントインサートの前記下面と直接接触している下面と、前記第２ワイヤメッシュアイソレータを貫通するアパーチャと、前記第１保持機構の前記外径と実質的に同等の外径とを有し、
前記アパーチャは、前記アイソレータガイドの前記管を中に受け入れる、
請求項１から８のいずれか一項に記載のインシュレーティングアイソレータアセンブリ。
【請求項１０】
前記ワイヤメッシュアイソレータの前記上面は直立部を含む、
請求項１から９のいずれか一項に記載のインシュレーティングアイソレータアセンブリ。
【請求項１１】
アイソレータガイドと、
ワイヤメッシュアイソレータと、
マウントインサートと
を備える、熱シールドのためのインシュレーティングアイソレータアセンブリであって、
前記アイソレータガイドは、外径を含む管と、第１保持機構が上にある第１端と、第２保持機構を上に含む第２端と、前記第１端から前記第２端まで貫通する、一定の内径を含むアパーチャとを有し、
前記第１保持機構および前記第２保持機構は、前記管の外径よりも大きい外径を含み、
前記ワイヤメッシュアイソレータは、上面と、前記第１保持機構と直接接触している下面と、それらを貫通し、前記アイソレータガイドの前記管を中に受け入れるアパーチャと、前記第１保持機構の前記外径と実質的に同等の外径とを有し、
前記マウントインサートは、共通の外径縁で接触する上面および下面がある環状部と、前記共通の外径縁から延在する円周フランジと、前記上面および前記下面を貫通し、前記アイソレータガイドの前記管を中に受け入れる中央アパーチャとを有し、
前記円周フランジは、前記マウントインサートを前記熱シールドに取り付けるために曲げられている、
インシュレーティングアイソレータアセンブリ。
【請求項１２】
アイソレータガイドと、
皿ばねと、
マウントインサートと
を備え、
前記アイソレータガイドは、外径を含む管と、第１保持機構が上にある第１端と、第２保持機構を上に含む第２端と、前記第１端から前記第２端まで貫通する、一定の内径を含むアパーチャとを有し、
前記第１保持機構および前記第２保持機構は、前記管の外径よりも大きい外径を含み、
前記皿ばねは、内側円状縁と、外側円状縁と、前記アイソレータガイドの前記管を中に受け入れるための中央アパーチャと、前記内側円状縁から延在する、円周方向に離間されて半径方向外側に延在する開口とを有し、
前記マウントインサートは、共通の外径縁で接触する上面および下面がある環状部と、前記共通の外径縁に取り付けられた、円周方向に離間された複数のタブのセットと、前記複数のタブの各々を互いに分離する複数のギャップのセットと、前記上面および前記下面を貫通する中央アパーチャとを有し、
前記中央アパーチャは、前記アイソレータガイドの前記管を中に受け入れ、
前記皿ばねの前記外側円状縁は、前記マウントインサートの前記環状部と接触し、前記内側円状縁は、前記第１保持機構の下方で前記アイソレータガイドの前記管と接触する、
熱シールドのためのインシュレーティングアイソレータアセンブリ。
【請求項１３】
内側円状縁と、外側円状縁と、前記アイソレータガイドの前記管を中に受け入れるための中央アパーチャと、前記内側円状縁から延在する、円周方向に離間されて半径方向外側に延在する開口とを有する第２ばねをさらに備え、
前記内側円状縁は、前記第１保持機構および前記第２保持機構の前記外径よりも直径が小さく、
前記外側円状縁は、前記マウントインサートの前記環状部と接触し、前記内側円状縁は、前記第２保持機構の下方で前記アイソレータガイドの前記管と接触する、
請求項１２に記載のインシュレーティングアイソレータアセンブリ。
【請求項１４】
前記第１保持機構および前記第２保持機構はリッジである、
請求項１２または１３に記載のインシュレーティングアイソレータアセンブリ。
【発明の詳細な説明】
【技術分野】
【０００１】
関連出願の相互参照
【０００２】
本開示は、熱シールドを振動および熱の両方から分離する熱シールドのためのインシュレーティングアイソレータアセンブリに関する。
【背景技術】
【０００３】
現在の最新の車両において、内燃エンジンの排気コンポーネントは、ボンネットの下の温度が華氏１６００度（摂氏８７１度）近くに達し得る。そのような高温により、ボンネットの下で入れ子構造になっている、電子コンポーネントなどのコンポーネントの著しい損傷リスク生じ得る。故に、保護が、保証されており、排気コンポーネント、ターボチャージャ、触媒、ダウンパイプおよび他の熱を発生させるコンポーネントをすっかり覆うかまたは部分的にブロックし、故に遮断するように設計された熱シールドの使用によってもたらされてきた。
【０００４】
排気熱シールドは従来、隔離ブラケットを含むマウント接続部またはマウントボスを用いて内燃エンジンの排気コンポーネントに取り付けられていた。熱シールドは、熱シールドを通ってマウント接続部へと延在する少なくとも１つのボルトまたは締結具により、排気コンポーネントに固定される。一般的に、熱シールドは、１つよりも多い箇所で排気コンポーネントに接続される。
【０００５】
内燃エンジンおよび排気システムは、使用中、実質的に振動する。これらの振動は、エンジンまたは排気システムからの熱と共に、マウント接続部および／または締結具を通じて熱シールドへと伝わり得る。これらの振動は、熱シールドをがたつかせ、ノイズを発生させて、熱シールドを早期に疲労させ、ひび割れさせ得る。
【０００６】
また、マウント接続部を通じて熱シールドへと伝わる熱は、温度が上がると引張り強度および疲れ限度が低下する、アルミニウムなどの軽量材料製であり得る熱シールドを損傷させ得る。
【０００７】
加えて、振動により引き起こされるノイズが、車両の内側または外側で聞こえ得、消費者にとっては不快である。
【０００８】
従って、車両の熱シールドから生じ得る振動を低減または排除し、マウント接続部を通じて熱シールドまで伝わる熱を低減することが望ましいであろう。
【発明の概要】
【０００９】
外径を有する管と、第１保持機構が上にある第１端と、第２保持機構を上に有する第２端と、一定の内径のものであり、第１端から第２端まで貫通するアパーチャとを含むアイソレータガイドを含む、熱シールドのためのインシュレーティングアイソレータアセンブリ。第１保持機構および第２保持機構は、管の外径よりも大きい外径を有する。
【００１０】
一実施形態において、インシュレーティングアイソレータアセンブリは、上面と、第１保持機構と直接接触している下面と、それらを貫通するアパーチャと、第１保持機構の外径と実質的に同等の外径とを有するワイヤメッシュアイソレータをさらに含み得る。アパーチャは、アイソレータガイドの管を中に受け入れ、マウントインサートは、共通の外径縁で接触する上面および下面がある環状部と、外径縁に取り付けられた、円周方向に離間された複数のタブのセットと、タブを互いに分離する複数のギャップのセットと、上面および下面を貫通する中央アパーチャとを有する。中央アパーチャは、アイソレータガイドの管を中に受け入れる。
【００１１】
別の実施形態において、インシュレーティングアイソレータアセンブリは、内側円状縁と、外側円状縁と、アイソレータガイドの管を中に受け入れるための中央アパーチャと、内側円状縁から延在する、円周方向に離間されて半径方向外側に延在する開口とを含む皿ばねを含み得る。マウントインサートは、共通の外径縁で接触する上面および下面がある環状部と、外径縁に取り付けられた、円周方向に離間された複数のタブのセットと、複数のタブの各々を互いに分離する複数のギャップのセットと、上面および下面を貫通する中央アパーチャとを有する。中央アパーチャは、アイソレータガイドの管を中に受け入れ、皿ばねの外側円状縁は、マウントインサートの環状部と接触し、内側円状縁は、第１保持機構の下のアイソレータガイドの管と接触する。
【００１２】
本実施形態の上記だけでなく他の利点は、添付の図面に照らして考慮された場合、当業者には、以下の詳細な説明から簡単に明らかになるであろう。
【図面の簡単な説明】
【００１３】
【図１】熱シールドにおけるインシュレーティングアイソレータアセンブリの好ましい実施形態の上面斜視図である。
【００１４】
【図２】熱シールドにおけるマウントインサートの好ましい実施形態の底面斜視図である。
【００１５】
【図３】マウントインサートの好ましい実施形態の底面斜視図である。
【００１６】
【図４】熱シールドがない、図１のインシュレーティングアイソレータアセンブリの好ましい実施形態の底面斜視図である。
【００１７】
【図５】ワイヤメッシュアイソレータの好ましい実施形態の側断面図である。
【００１８】
【図６】アイソレータガイドおよびアイソレータの好ましい実施形態の底面斜視図である。
【００１９】
【図７】熱シールドがない、図１のインシュレーティングアイソレータアセンブリの好ましい実施形態の上面斜視図である。
【００２０】
【図８】図７のインシュレーティングアイソレータアセンブリの皿ばねの上面図である。
【００２１】
【図９】熱シールドにおけるインシュレーティングアイソレータアセンブリの別の好ましい実施形態の上面斜視図である。
【００２２】
【図１０】図９の熱シールドにおけるインシュレーティングアイソレータアセンブリの好ましい実施形態の底面図である。
【００２３】
【図１１】ワイヤメッシュアイソレータの実施形態の上面斜視図である。
【００２４】
【図１２】熱シールドにおけるマウントインサートの好ましい実施形態の上面斜視図である。
【発明を実施するための形態】
【００２５】
実施形態は、そうでないと明示的に特定されている場合を除いて、様々な代替的な方向性およびステップの順序を想定し得ることが理解されるべきである。添付の図面において示され、以下の明細書において説明される特定のデバイスおよびプロセスは、添付の特許請求の範囲において定義される本発明の概念の例示的な実施形態に過ぎないことも理解されるべきである。故に、特定の寸法、方向または他の物理的特徴は、実施形態に関連する。
【００２６】
図１は、インシュレーティングアイソレータアセンブリ１２が取り付けられた熱シールド１０の一実施形態の一部分を示す。示されるように、熱シールド１０は、多層の熱シールドであるが、単層の熱シールドでもあり得る。熱シールド１０は、（図２に示されるように）上シートまたは上面１０ａ、下シートまたは下面１０ｂを含み得る。加えて、少なくとも１つの中間層（不図示）が、上面または上シート１０ａと下面または下シート１０ｂとの間に位置し得る。中間層は、非金属材で構成され得る。非金属材は、耐高温ファイバ材料、圧縮マイカ粒子、圧縮バーミキュライト粒子および／または熱への耐性がある他の鉱物を含むが、それらに限定されない。上面１０ａおよび下面１０ｂは、軽量アルミニウムを含むがそれに限定されない金属材料で構成される。
【００２７】
熱シールド１０のサイズおよび形状は、適用要件に応じて異なり得る。熱シールド１０は、内燃エンジン、排気システムまたは感温コンポーネントなどであるがそれらに限定されない対象物（不図示）の断熱および遮音の両方を提供し得る。
【００２８】
熱シールド１０は、ボルトなどの締結具（不図示）を受け入れて熱シールド１０をマウント構造（不図示）に接続するマウントインサート１４を受け入れるアパーチャ１０ｃを有する。マウント構造は、エンジン、排気コンポーネント、ターボチャージャ、触媒、高温コンポーネントのダウンパイプ、または遮熱を必要とする任意の他の構造上にあり得る。アパーチャ１０ｃは、熱シールド１０を貫通する。アパーチャ１０ｃは、示されるように円形であるが、マウント構造、マウントインサート１４および締結具の形状およびサイズに応じて楕円形または多角形でもあり得、しかしそれらに限定されない。
【００２９】
図２に示されるように、マウントインサート１４は、アパーチャ１０ｃの中に位置する。一実施形態において、図３に示されるように、マウントインサート１４は、（図１に示されるように）上面１４ｂと、下面１４ｃと、内径縁１４ｄと、外径縁１４ｅとを有する平坦な環状部１４ａを有する。環状部１４ａは、上面１４ｂと下面１４ｃとの間に一定の厚さを有する。上面１４ｂおよび下面１４ｃは、外径縁１４ｅで接触する。環状部１４ａの外径縁１４ｅから延在するのは、複数のタブ１６の各々を互いに分離する複数のギャップのセット１８がある、円周方向に離間された複数のタブのセット１６である。示されるように、マウントインサート１４、平坦な面１４ａは、環状であるが、四角形、多角形、楕円形または不規則な形状でもあり得、しかしそれらに限定されない。
【００３０】
一実施形態において、各タブ１６は、半径方向内側に延在する脚１６ａと、半径方向内側に延在する脚１６ａに接続された、軸方向外側に延在する脚１６ｂとを含む。半径方向内側に延在する脚１６ａは、軸方向外側に延在する脚１６ｂをマウントインサート１４の外径縁１４ｅから内側にずらしている。タブ１６の全てが、環状部１４ａから実質的に同じ方向に延在する。タブ１６は、花びら形状を含むがそれに限定されない様々な形状およびサイズを有し得る。
【００３１】
代替的に、タブ１６は、熱シールド１０のアパーチャ１０ｃを通ってアパーチャ１０ｃの周りに延在する連続した円周フランジで置き換えられ得る。円周フランジは、半径方向内側延在部と、半径方向内側延在部に接続された軸方向外側延在部とを含み得る。軸方向外側延在部は、マウントインサート１４を熱シールド１０に取り付けるために曲げられている。
【００３２】
タブ１６は、図２に示されるように、熱シールド１０への取り付けにおいてマウントインサート１４を補助するように設計されている。マウントインサート１４は、熱シールド１０のアパーチャ１０ｃの中に位置する。より具体的には、マウントインサート１４が熱シールド１０のアパーチャ１０ｃに挿入される場合、タブ１６の半径方向内側に延在する脚１６ａは、熱シールド１０のアパーチャ１０ｃを通って延在する。タブ１６は、単一の熱シールド１０または複数の熱シールドを通って延在し得る。インシュレーティングアイソレータアセンブリ１２が熱シールド１０上に組み付けられる場合、タブ１６は、それらが熱シールド１０と接触するように曲げられる。より具体的には、各タブ１６の軸方向に延在する脚１６ｂは、熱シールド１０の下面１０ｂに隣接して、または下面１０ｂと接触して位置しているべきである。各タブ１６の半径方向内側に延在する脚１６ａは、熱シールド１０の上面１０ａに隣接して、または上面１０ａと接触して位置する。従って、熱シールド１０は、タブ１６の脚１６ａと１６ｂとの間にはさまれて、マウントインサート１４を定位置に固定する。
【００３３】
中央アパーチャ２０が、マウントインサート１４の環状部１４ａを貫通する。図３に示されるように、中央アパーチャ２０は円形である。しかしながら、中央アパーチャ２０は、用途に応じて楕円形、多角形または他の形状でもあり得るが、それらに限定されない。好ましくは、中央アパーチャ２０は、マウントインサート１４の環状部１４ａにおける中央に位置する。中央部２０は、マウント構造とさらに接続する締結具を受け入れる。
【００３４】
一実施形態において、マウントインサート１４は、金属材料で構成される。マウントインサート１４は、マウント構造からマウントインサート１４内へと伝わる熱からの、ある程度の熱保護を提供する。この熱保護は、（後述される）その設計、形状および特徴により、また、金属材料の伝導率により、マウントインサート１４の面領域という形でもたらされる。分散する伝導熱が、マウントインサート１４の増加し続ける体積に沿って流れる。加えて、全ての面対面の接触により、締結具からの伝導熱の流れに乱れが生じる。
【００３５】
振動保護は、軸方向でのマウントインサート１４のズレという形でもたらされ、マウントインサート１４の軸方向での剛性を変更するための厚さの変更および機構の追加を用いて調整され得る。
【００３６】
一実施形態において、図４から理解され得るように、アイソレータガイド２２が、マウントインサート１４の中央アパーチャ２０を通じて挿入される。図６に示されるように、アイソレータガイド２２は、第１端２６と、第２端２８と、中央部３０とを有する中空管２４を含む。
【００３７】
第１端２６に取り付けられているのは、管２４の外径２４ａよりも大きい外径３２ａを有する保持機構３２である。一実施形態において、保持機構３２は、ワッシャであるが、リッジ（ｒｉｄｇｅ）または他の同様の機構でもあり得、しかしそれらに限定されない。中空管２４の第２端２８は、管２４の外径２４ａよりも大きい外径を有する第２保持機構２８ａを有する。第１保持機構３２、第１端２６、第２端２８、第２保持機構２８および中央部３０は一体構造のものである。一定の内径３４ａがあるアパーチャ３４が、第１保持機構３２を通り、第１端２６を通って第２端２８まで延在することで、中空管２４の中空内部が生じる。図１に示されるように、保持機構２８ａは、リッジであるが、ワッシャまたは他の同様の機構でもあり得、しかしそれらに限定されない。
【００３８】
一実施形態において、アイソレータガイド２２がマウントインサート１４の中央アパーチャ２０を通じて挿入される場合、図４に示されるように、第１端２６は、マウントインサート１４の下面１４ｃの下方に位置する。図１に示されるように、中央部３０および第２端２８は、マウントインサート１４および熱シールド１０を通って延在する。少なくとも第２端２８は、熱シールド１０の上面１０ａおよびマウントインサート１４の上面１４ｂを越えて延在する。
【００３９】
図４に示されるように、アイソレータコンポーネント３６が、アイソレータガイド２２の管２４の周りに位置する。一実施形態において、図５に示されるように、アイソレータコンポーネントは、上面３６ａと、下面３６ｂと、上面３６ａから下面３６ｂまで延在するアパーチャ３６ｃとがある概ね円柱の形状を有するワイヤメッシュアイソレータ３６である。ワイヤメッシュアイソレータ３６の下面３６ｂは、第１保持機構３２および管２４の中央部３０に当接し、アパーチャ３６ｃを通って延在する。ワイヤメッシュアイソレータ３６の上面３６ｄは、部分的に管２４の中央部３０に沿って延在する。加えて、ワイヤメッシュアイソレータ３６は、実質的に第１保持機構３２の外径と同等であるか、または当該外径よりも小さい外径を有する。
【００４０】
アイソレータガイド２２がマウントインサート１４の中央アパーチャ２０を通じて挿入される場合、図４に示されるように、ワイヤメッシュアイソレータ３６の下面３６ｂは第１保持機構３２に当接し、上面３６ａはマウントインサート１４の環状部１４ａに当接する。ワイヤメッシュアイソレータ３６は、ワイヤメッシュアイソレータ３６が環状部１４ａの中央アパーチャ２０を通り抜けないようにサイズ設定される。
【００４１】
一実施形態において、アイソレータガイド２２がマウントインサート１４の中央アパーチャ２０を通じて挿入される場合、第１保持機構３２および第１端２６は、マウントインサート１４の上面１４ｂの上方に位置する。中央部３０および第２端２８は、マウントインサート１４および熱シールド１０を通って延在する。少なくとも第２端２８は、熱シールド１０の下面１０ｂおよびマウントインサート１４の下面１４ｃを越えて延在する。
【００４２】
ワイヤメッシュアイソレータ３６は、ワイヤメッシュ材料で構成され得る。ワイヤメッシュ材料は、好ましくはニットワイヤメッシュであるが、所望される場合には、他の種類のワイヤメッシュ、例えば、編み込まれ、かつ伸張された金属メッシュが用いられ得る。より具体的には、ワイヤメッシュアイソレータ３６は、互いに織り込まれた複数のワイヤで編み込まれた、空隙がある金属メッシュ材料で構成され得る。ワイヤメッシュ構造を構成するワイヤメッシュは、様々な材料から成り得る。それらの材料は、メッシュとして形成される前または後のいずれかに、様々な処理（コーティングを含む）を施され得る。適切な材料および処理の例は、カーボンスチール、３００系および４００系のステンレス鋼、スズめっきカーボンスチール、亜鉛めっきカーボンスチールならびに亜鉛引きカーボンスチールを含むが、それらに限定されない。ワイヤメッシュを構成するワイヤは、円形、六角形、八角形、四角形およびフラットを含むがそれらに限定されない様々な断面を有し得る。
【００４３】
ワイヤメッシュアイソレータ３６は、エンジンまたは排気コンポーネントのマウント構造を通じた、熱シールド１０への熱および振動の伝達を低減するように機能する。より具体的には、ワイヤメッシュアイソレータ３６は、熱シールド１０が損傷しないように、マウント構造およびマウントインサート１４から熱および振動を放散させる。
【００４４】
ワイヤメッシュ材料は、冷却用空気が通過して熱を奪い去り得る、空隙がある大きな面領域を有する。ワイヤメッシュアイソレータ３６は、ワイヤメッシュ材料を通じて接続箇所から熱シールド１０へと熱および振動を低減する。ワイヤメッシュは、締結具からのあらゆる半径方向および軸方向からの振動を受けるばね緩衝部材として機能する。メッシュ材料の個々のワイヤは、振動が受けられた場合に互いに接触し、メッシュ材料の残りの全体にわたって振動を放散させる。ワイヤメッシュ材料は、溶融、変形または性能変化することなく、マウント構造およびマウントインサート１４を通じて伝わる高温に耐え得る。
【００４５】
ワイヤメッシュアイソレータ３６は、マウントインサート１４により、熱シールド１０から分離される。ワイヤメッシュアイソレータ３６のワイヤメッシュ材料は、熱シールド１０における高い接触応力を生じさせ得る。加えて、マウントインサート１４は、ワイヤメッシュアイソレータ３６のワイヤメッシュの高い接触応力に耐え得る金属材料で構成される。さらに、ワイヤメッシュアイソレータ３６のメッシュ材料とマウントインサート１４との間の境界面が、追加の面領域を提供し、それら２つの材料の間での追加の転移が、熱伝達および振動を低減するように機能する。マウントインサート１４と熱シールド１０との間の境界面は、移動／摩擦からの熱シールド１０の損傷を排除する程度に硬質である。
【００４６】
加えて、一実施形態において、ワイヤメッシュアイソレータ３６の上面３６ａの近くのアパーチャ３６ｃは、拡径部３６ｆを有し得る。拡径部３６ｆは、アイソレータガイド２２の第２端２８上の第２保持機構２８ａが、アパーチャ３６ｃを通ってではなく、ワイヤメッシュアイソレータ３６の拡径部３６ｆに収まるように、サイズ設定される。すなわち、拡径部３６ｆの直径は、アイソレータガイド２２の第２保持機構２８ａの外径よりも大きい。同様の拡径部３６ｆは、ワイヤメッシュアイソレータ３６の下面３６ｂの近くに位置し得る。
【００４７】
別の実施形態において、図５に示されるように、アパーチャ３６の上面３６ａの近くのアパーチャ３６ｃは、直立部３６ｅを有し得る。直立部３６ｅは、アパーチャ３６ｃと同じ内径と、第２保持機構２８ａの外径よりも小さい外径とを有する。従って、組み付けられる場合、アイソレータガイド２２の第２保持機構２８ａは、直立部３６ｅの上部に保持される。
【００４８】
加えて、図１１に示されるように、上面３６ａの近くのアパーチャ３６ｃは、第２保持機構２８ａの外径よりも大きい拡径部３６ｆを有し得る。
【００４９】
別の実施形態において、アイソレータコンポーネントは、図１および７に示されるように、皿ばね３８である。本実施形態において、第２保持機構２８ａは、図１および７に示されるように、皿ばね３８を中空管２４上の定位置に維持する。皿ばね３８は、図８においてさらに詳細に示される。皿ばね３８は、実質的に平坦なディスク形状を有する。皿ばね３８は、内側円状縁３８ａを生じさせる皿ばね３８を貫通する中央アパーチャ４０を有する。皿ばね３８は、外側円状縁３８ｂも有する。外側円状縁３８ｂは、そこから内側円状縁３８ａに向かって半径方向内側に延在するが内側円状縁３８ａには達しない、円周方向に離間された開口３８ｃまたはスリットを有し得る。加えて、内側円状縁３８ａは、そこから外側円状縁３８ｂに向かって半径方向外側に延在するが内側円状縁３８ｂには達しない、円周方向に離間された開口３８ｄまたはスリットを有し得る。スリット３８ｃ、３８ｄは、スリット３８ｃ、３８ｄが互いに円周方向に入れ替わるように、皿ばね３８上で位置決めされる。
【００５０】
皿ばね３８は、ばね鋼を含むがそれに限定されないフレキシブル金属材料製であり得る。上述のように、円周方向に離間された開口３８ｃ、３８ｄの形状が異なり得るだけでなく、皿ばね３８の厚さおよび材料剛性が所望の可変性および可撓性を与えて、皿ばね３８が振動ひずみおよび熱ひずみを吸収することを可能にする。一実施形態において、開口３８ｃ、３８ｄはＵ字形状である。
【００５１】
一実施形態において、図１に示されるように、マウントインサート１４は、ワイヤメッシュアイソレータ３６を皿ばね３８から分離する。一実施形態において、アイソレータガイド２２が熱シールド１０のアパーチャ１０ｃを通じて挿入される場合、第１保持機構３２および第１端２６は、熱シールド１０の下面１０ｂの下方に位置し、皿ばね３８、第２端２８、およびアイソレータガイド２２の管２４の一部は、熱シールド１０の上面１０ａの上方に位置する。図１に示されるように、アイソレータガイド２２の管２４は、皿ばね３８の中央アパーチャ４０を貫通する。外縁３８ｂは、環状部１４ａの上面１４ｂと接触している。内縁３８ａは、管２４の中央部３０と接触している。内縁３８ａは、第２端２８の第２保持機構２８ａの下方で中央部３０と接触する。中央アパーチャ４０は、管２４の中央部３０はアパーチャ４０を通り抜けるが、第２保持機構２８ａはアパーチャ４０を通って延在しないように、サイズ設定される。故に、第２保持機構２８ａは、環状部１４ａの上面１４ｂと管２４の第２端２８との間に皿ばね３８を保持する。
【００５２】
別の実施形態において、アイソレータガイド２２が熱シールド１０のアパーチャ１０ｃを通じて挿入される場合、第１保持機構３２および第１端２６は、熱シールド１０の上面１０ａの上方に位置し、皿ばね３８、第２端２８、およびアイソレータガイド２２の管２４の一部は、熱シールド１０の下面１０ｂの下方に位置する。
【００５３】
別の実施形態において、インシュレーティングアイソレータアセンブリ１２は、２つの皿ばね３８を上に含むアイソレータガイド２２を含む。本実施形態において、マウントインサート１４は、２つの皿ばね３８を互いに分離する。皿ばね３８は、皿ばねの内縁３８ａがそれぞれ第１保持機構３２および第２保持機構２８ａの下方で中央部３０と接触し、かつ、マウントインサートが外縁３８ｂを互いに分離するように、管２４上に配置される。故に、保持機構３２、２８ａは、環状部１４ａの面１４ｂ、１４ｃと、管の第１端２６、第２端２８との間に皿ばね３８を保持する。
【００５４】
アイソレータガイド２２が熱シールド１０のアパーチャ１０ｃを通じて挿入される場合、第１端２６および１つの皿ばね３８は、熱シールド１０の下面１０ｂの下方に位置し、第２皿ばね３８および第２端２８は、熱シールド１０の上面１０ａの上方に位置する。アイソレータガイド２２の管２４は、皿ばね３８の中央アパーチャ４０を通って延在する。
【００５５】
好ましくは、第１保持機構３２および第２保持機構２８ａはリッジである。
【００５６】
別の実施形態において、図９および１０に示されるように、インシュレーティングアイソレータアセンブリ１１２は、２つのワイヤメッシュアイソレータ１３６、２３６を上に含むアイソレータガイド１２２を含む。アイソレータガイド１２２が熱シールド１１０のアパーチャ１１０ｃを通じて挿入される場合、図９に示されるように、第１端１２６は、熱シールド１１０の上面１１０ａの上方に位置する。アイソレータガイド１２２の中央部１３０および第２端１２８は、マウントインサート１１４および熱シールド１１０を通って延在する。図１０に示されるように、少なくとも第２端１２８は、熱シールド１１０の下面１１０ｂを越えて延在する。
【００５７】
図９に示されるように、第１ワイヤメッシュアイソレータ１３６が、中央部１３０の周りに位置する。図１１に示されるように、第１ワイヤメッシュアイソレータ１３６は、上面１３６ａと、下面１３６ｂと、上面１３６ａから下面１３６ｂまで延在するアパーチャ１３６ｃとがある概ね円柱の形状を有する。第１ワイヤメッシュアイソレータ１３６の下面１３６ｂは、ワッシャ１３２に当接し、管１２４の中央部１３０は、アパーチャ１３６ｃを通って延在する。第１ワイヤメッシュアイソレータ１３６の上面１３６ａは、部分的に管１２４の中央部１３０に沿って延在する。 
【００５８】
アイソレータガイド１２２が熱シールド１１０のアパーチャ１１０ｃおよびマウントインサート１１４の中央アパーチャ１２０を通じて挿入される場合、図９に示されるように、第１ワイヤメッシュアイソレータ１３６の下面１３６ｂはワッシャ１３２に当接し、上面１３６ａはマウントインサート１１４の上面１１４ｂに当接する。第１ワイヤメッシュアイソレータ１３６は、第１ワイヤメッシュアイソレータ１３６がマウントインサート１１４の中央アパーチャ１２０を通り抜けないように、サイズ設定される。
【００５９】
第２ワイヤメッシュアイソレータ２３６は、マウントインサート１１４の環状部１１４ａの下面１１４ｃの間の管１２４の中央部１３０の周りで、熱シールド１１０の下面１１０ｂの下方に位置決めされる。
【００６０】
一実施形態において、組み付けられる場合、第２ワイヤメッシュアイソレータ２３６の下面２３６ｂは、マウントインサート１１４の環状部１１４ａに当接し、上面２３６ａは、管１２４の中央部１３０に沿って延在する。
【００６１】
加えて、第２端１２８は、圧入部または締りばめ部を介して第２ワイヤメッシュアイソレータ２３６を保持して、第２ワイヤメッシュアイソレータ２３６を上に維持し得る。
【００６２】
組み付けられる場合、マウントインサート１１４は、実質的に、２つのアイソレータ１３６、２３６を互いに分離する。より具体的には、アイソレータガイド１２２が熱シールド１１０のアパーチャ１１０ｃを通じて挿入される場合、図９および１０に示されるように、ワッシャ１３２および第１端１２６は、熱シールド１１０の上面１１０ａの上方に位置し、第２ワイヤメッシュアイソレータ２３６、第２端１２８およびアイソレータガイド１２２の管１２４の一部は、熱シールド１１０の下面１１０ｂの上方に位置する。アイソレータガイド１２２の管１２４は、ワイヤメッシュアイソレータ１３６、２３６のアパーチャ１３６ｃ、２３６ｃを通って延在する。
【００６３】
第２ワイヤメッシュアイソレータ２３６のアパーチャ２３６ｃは、管１２４の中央部１３０はアパーチャ２３６ｃを通り抜けるがリッジ１２８ａはアパーチャ２３６ｃを貫通しないように、サイズ設定される。故に、リッジ１２８ａは、第２ワイヤメッシュアイソレータ２３６をマウントインサート１１４の管１２４上に保持する。
【００６４】
一実施形態において、ワイヤメッシュアイソレータ１３６、２３６は、互いに部分的に接触してい得る。
【００６５】
特許法の規定に従って、本発明は、その好ましい実施形態を表しているとみなされることについて説明されてきた。しかしながら、当該実施形態は、具体的に図示および説明されたものとは別の方法で、その趣旨または範囲から逸脱することなく実施され得ることが留意されるべきである。
【図１】
2018523775.tif 000003
【図２】
2018523775.tif 000004
【図３】
2018523775.tif 000005
【図４】
2018523775.tif 000006
【図５】
2018523775.tif 000007
【図６】
2018523775.tif 000008
【図７】
2018523775.tif 000009
【図８】
2018523775.tif 000010
【図９】
2018523775.tif 000011
【図１０】
2018523775.tif 000012
【図１１】
2018523775.tif 000013
【図１２】
2018523775.tif 000014
【国際調査報告】
2018523775.tif 000015
2018523775.tif 000016